(57)【要約】【課題】  基地局から送信される電波の品質に依存して異なった動作規制を行う移動通信端末装置の動作規制方法及び移動通信端末装置を提供する。【解決手段】  基地局から送信された電波の品質の閾値と動作規制モードとの組からなる規制情報を規制内容データベース２２ａに記憶し、その基地局から送信された電波の品質がその閾値以上の場合、その動作規制モードの設定を動作モードデータベース２３ａに記憶し、制御部１１は、動作モードデータベース２３ａに記憶された動作規制モードの設定に従って動作する。【選択図】  図１
2005167368.tif 000002
【特許請求の範囲】
【請求項１】
基地局から送信された閾値と動作規制モードの組からなる規制情報を受信し、
前記基地局から送信された電波を受信して、その電波の品質を測定し、
その測定した電波の品質と前記閾値との大小を比較し、
その比較の結果および前記動作規制モードに従って、前記動作規制モードの設定を行う
ことを特徴とする移動通信端末装置の動作規制方法。
【請求項２】
前記規制情報は、共通報知チャネルで送信される共通報知信号に含まれることを特徴とする請求項１に記載の移動通信端末装置の動作規制方法。
【請求項３】
前記電波の品質は、共通パイロットチャネルで送信される共通パイロット信号の電波の品質である
ことを特徴とする請求項１または請求項２に記載の移動通信端末装置の動作規制方法。
【請求項４】
基地局から送信された閾値からなる規制情報を受信する受信手段と、
前記受信手段によって受信された規制情報が記憶される規制情報記憶手段と、
前記基地局から送信された電波を受信して、その電波の品質を測定する測定手段と、
前記測定手段によって測定された電波の品質と前記閾値との大小を比較し、その比較の結果に従って、所定の動作規制モードの設定を行う動作規制制御手段と
を有することを特徴とする移動通信端末装置。
【発明の詳細な説明】
【技術分野】
【０００１】
本発明は、移動通信端末装置の動作規制方法及び移動通信端末装置に係り、特に柔軟な動作規制処理に関する。
【背景技術】
【０００２】
移動通信端末装置の使用が適切でない場所がある。例えば、コンサートホール内での呼出音の鳴動や通話は、コンサートを聞いている人への迷惑であり、行うべきでない。また、病院内や電車等の交通機関内での電波の送信は、ペースメーカ等の精密機械に悪影響を与える恐れがあり、行うべきでない。
【０００３】
そこで、基地局から移動通信端末装置の使用規制を示す信号を送信し、この信号を受信した移動通信端末装置は、動作の一部、または、全部を行わない処理が知られている。即ち、上記信号を受信した移動通信端末装置は、例えば、着信音の鳴動を行わず、振動によって着信を利用者に通知したり、電源を切断することにより、全ての動作を停止させている（例えば、特許文献１参照。）。
【特許文献１】特開２００１−８２７３号公報（第２−３頁、図３）
【発明の開示】
【発明が解決しようとする課題】
【０００４】
しかしながら、上述した特許文献１に開示されている方法では、上記使用規制を示す信号を受信した移動通信端末装置が行うべき処理が事前に決定されている必要があった。例えば、上記処理が着信音の鳴動を行わないこと及び通話を行わないことと決定されていれば、病院内や、電車等の交通機関内でも着信音の鳴動や通話は行われないものの、メールの送受信が可能であり、即ち、電波の送信が可能であり、適切な使用規制が行われない問題点があった。
【０００５】
また、コンサートホール内では呼出音の鳴動や通話は適切でないが、そのホールのロビー内では、通話は許される場合がある。また、電車等の交通機関内での電波の送信はシルバーシート付近でのみ禁止し、シルバーシート付近以外の場所では、メールの送受信に限って電波の送信を認める場合もある。上述した特許文献１に開示されている方法では、これらの場合の使用規制を行うことができない問題点があった。
【０００６】
本発明は、上記問題点を解決するためになされたもので、基地局から送信される電波の品質に依存して異なった動作規制を行う移動通信端末装置の動作規制方法及び移動通信端末装置を提供することを目的とする。
【課題を解決するための手段】
【０００７】
上記目的を達成するために、本発明の移動通信端末装置の動作規制方法は、基地局から送信された閾値と動作規制モードの組からなる規制情報を受信し、前記基地局から送信された電波を受信して、その電波の品質を測定し、その測定した電波の品質と前記閾値との大小を比較し、その比較の結果および前記動作規制モードに従って、前記動作規制モードの設定を行うことを特徴とする。
【発明の効果】
【０００８】
本発明によれば、移動通信端末装置が位置している場所に応じて、その装置は適切な動作規制を行うことができる。
【発明を実施するための最良の形態】
【０００９】
以下に、本発明による移動通信端末装置の動作規制方法及び移動通信端末装置の実施の形態を、図面を参照して説明する。図１は、本発明の実施形態に係る移動通信端末装置を示すブロック図である。
【００１０】
この装置は、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、出力装置１５と、入力装置１６と、規制内容管理部２１と、規制内容記憶部２２と、動作モード記憶部２３とからなる。
【００１１】
規制内容記憶部２２には、規制内容データベース２２ａが記憶される。図２は、規制内容記憶部２２に記憶される規制内容データベース２２ａの形式と、規制内容データベース２２ａに記憶されるデータの一例を示す。また、図３は、規制内容データベース２２ａに記憶されるデータの別の例を示す。規制内容データベース２２ａは、基地局２２ｂと、電波品質閾値２２ｃと、モード２２ｄとのデータの組からなる。なお、規制内容データベース２２ａに記憶されるデータは、複数の基地局に関するデータ、即ち、異なる基地局２２ｂを持つデータであっても良い。
【００１２】
基地局２２ｂは基地局の識別子であり、基地局２２ｂから共通パイロットチャネルで送信される共通パイロット信号の電波の品質が電波品質閾値２２ｃ以上であれば、モード２２ｄを設定することが記憶される。
【００１３】
動作モード記憶部２３には、動作モードデータベース２３ａが記憶される。図４は、動作モード記憶部２３に記憶される動作モードデータベース２３ａの形式と、動作モードデータベース２３ａに記憶されるデータの一例を示しており、動作モードデータベース２３ａは、モード２３ｂと、設定２３ｃとのデータの組からなる。
【００１４】
モード２３ｂは、この移動通信端末装置が設定し得る動作規制モードが記憶され、設定２３ｃにはそれぞれのモード２３ｂが設定されているか否かが記憶される。
【００１５】
上記のように構成された、本発明の実施形態に係る移動通信端末装置の各部の動作を、図１を参照して説明する。
【００１６】
まず、制御部１１は、動作モードデータベース２３ａを参照して、設定されているモード２３ｂに従ってこの移動通信端末装置の各部の動作を規制制御する。
【００１７】
通信部１２ｂは、アンテナ１２ａが受信した高周波信号を送受信部１３へ出力し、また、送受信部１３から出力される高周波信号をアンテナ１２ａより送信する。
【００１８】
送受信部１３は、通信部１２ｂからの高周波信号を増幅、周波数変換及び復調し、それによって得られたデジタル音声信号を通話部１４ｃへ、また、標準時刻を含む制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００１９】
次に、通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００２０】
出力装置１５は、例えばＬＣＤの表示装置であり、制御部１１に制御されることで、文字・数字や画像データの表示動作を行い、表示されているデータは、入力装置１６からの入力操作や着信信号に応答し、制御部１１からの指示を受けることで切換わる。
【００２１】
入力装置１６は、通話相手の電話番号を指定するための数字キーを含む複数のキーからなり、入力装置１６のキーが操作されると、このキーに対応した識別子が制御部１１に通知され、出力装置１５に文字や数字として表示され、また画像の表示切替などが行われる。
【００２２】
次に、規制内容管理部２１の動作を説明する。規制内容管理部２１は、規制内容データベース２２ａに記憶されるデータと、動作モードデータベース２３ａに記憶されるデータとを管理する装置である。
【００２３】
規制内容管理部２１は、（１）制御部１１が基地局から共通報知チャネルで送信される規制内容信号を受信した際と、（２）制御部１１が監視中の基地局（Monitored Cells。在圏及び隣接した基地局（Neighboring Cells）であって、自装置が、ハンドオーバに供えてそれらの基地局から送信された電波の品質を測定している基地局。）の共通パイロットチャネルで送信される共通パイロット信号を受信した際とに、制御部１１によって起動されて動作を開始する。
【００２４】
図５は、制御部１１が基地局から共通報知チャネルで送信される共通報知信号に含まれる規制内容信号を受信したことによって、制御部１１が規制内容管理部２１を起動した場合の、規制内容管理部２１の動作のフローチャートを示す。
【００２５】
規制内容管理部２１は、制御部１１が上記規制内容信号を受信した際に、その規制内容と、その規制内容を送信した基地局の識別子を引数に、制御部１１が起動して動作を開始する（ステップ２１ａ）。ここで、上記規制内容は、モードと、そのモードを有効にするための共通パイロットチャネルで送信される共通パイロット信号の電波の最低品質を示す値とからなる。
【００２６】
モードには、「電源切断」、着信をバイブレータ（図示せず）の振動によって報知し、着信音の鳴動を行わない「マナーモード」、「電波送信停止モード」、「通話停止モード」があるが、これらに限られるものではない。また、電波の品質は、電波の強度としても良く、また、電波の信号対雑音電力比としても良い。
【００２７】
続いて、規制内容管理部２１は、引数として与えられた基地局の識別子を基地局２２ｂに、モードをモード２２ｄに、そのモードを設定すべき共通パイロットチャネルで送信される共通パイロット信号の電波の最低品質の値を電波品質閾値２２ｃに設定するデータの組を作成し、規制内容データベース２２ａに格納して（ステップ２１ｂ）、終了する（ステップ２１ｃ）。
【００２８】
ここで、図２に示す規制内容データベース２２ａの一例は、例えば、コンサートホール内に設置された基地局から送信される規制内容である。同図によると、電波品質閾値２２ｃが「ａ」以上のときのモード２２ｄは「電源切断」を、また電波品質閾値２２ｃが「ｂ」以上のときのモード２２ｄは「マナーモード」であることを示しており、「ａ」と「ｂ」の関係は「ａ＞ｂ」である。
【００２９】
これは、基地局がコンサートホール内に設置されていることを想定しているためで、コンサートホール内で受ける基地局からの電波の品質の方が、コンサートホールのロビーで受けるそれよりも良いため、「ａ＞ｂ」の関係となっている。
【００３０】
また、図３に示す規制内容データベース２２ａの別の例は、例えば、電車内のシルバーシート付近に設置された基地局から送信される規制内容である。シルバーシート付近では、電波品質閾値２２ｃが「ｐ」以上であり、検索されるモード２２ｄには、「電波送信停止モード」が含まれ、電波の送信を規制する。
【００３１】
一方、シルバーシートからやや離れた車内においては、電波品質閾値２２ｃが「ｑ」以上であり、検索されるモード２２ｄは、「マナーモード」及び「通話停止モード」であって、着信音やキーの操作音などが発生せず、更に、通話はできないが、例えば、メール送受信部（図示せず）や、写真撮影部（図示せず）の動作は可能である。
【００３２】
更に、シルバーシートから遠く離れた車内においては、電波品質閾値２２ｃが「ｒ」以上であり、検索されるモード２２ｄは、「マナーモード」であって、着信音やキーの操作音などが発生しないが、メール送受信部や、写真撮影部の動作は可能であり、更に、通話は可能である。なお、基地局がシルバーシート付近の車内に設置されたことから、ｐはｑより大、更に、ｑはｒより大（ｐ＞ｑ＞ｒ）とする。
【００３３】
なお、上記説明した規制内容を示すデータを規制内容データベース２２ａへ格納の前に、上記基地局２２ｂを含むデータの組が規制内容データベース２２ａに記憶されていれば、その組を削除した後に上記格納を行う。上記削除処理によって、同じ基地局２２ｂから異なった規制内容信号が送信された場合の規制内容データベース２２ａの更新処理が行われる。
【００３４】
図６は、制御部１１が全ての監視中の基地局から共通パイロットチャネルで送信される共通パイロット信号を受信したことによって、制御部１１が規制内容管理部２１を起動した場合の、規制内容管理部２１の動作のフローチャートを示す。
【００３５】
規制内容管理部２１は、制御部１１が上記共通パイロット信号を受信した際に、そのパイロット信号を送信した基地局の識別子と、そのパイロット信号の電波の品質との組のデータを引数に、制御部１１によって起動されて動作を開始する（ステップ２１ｅ）。
【００３６】
まず、規制内容管理部２１は、規制内容データベース２２ａの基地局２２ｂに、その基地局２２ｂを引数として与えられていないデータの組があるか否かを検索する。そして、そのデータの組が検索されれば、検索されたモード２２ｄと等しいモード２３ｂを持つデータの組を動作モードデータベース２３ａから検索する。
【００３７】
そして、検索された設定２３ｃに「ＯＦＦ」なるデータを格納して、上記モード２３ｂを非設定とする（ステップ２１ｆ）。これによって、過去には監視中であったが、現在は監視中でない基地局から送信された規制内容を非設定に戻すことができる。
【００３８】
続いて、規制内容管理部２１は、引数で与えられた基地局の識別子とその基地局から共通パイロットチャネルで送信された共通パイロット信号の電波の品質とからなる組の全てに対して、規制内容データベース２２ａと照合し、更に、その照合結果に含まれるモード２２ｄと動作モードデータベース２３ａと照合し、その照合結果に従ってモード２３ｂの設定を行うため、それらの組から１組を選び（ステップ２１ｇ）、全ての組の処理が終了したかを調べる（ステップ２１ｈ）。
【００３９】
終了していない場合（ステップ２１ｈの「ＮＯ」）、基地局２２ｂがステップ２１ｇで選んだ基地局の識別子に等しいデータの組を規制内容データベース２２ａから検索する（ステップ２１ｉ）。そして、ステップ２１ｇで選んだ共通パイロット信号の電波の品質とステップ２１ｉで検索されたデータの電波品質閾値２２ｃとを比較する（ステップ２１ｊ）。
【００４０】
ステップ２１ｇで選んだ共通パイロット信号の電波の品質がステップ２１ｉで検索されたデータの組の電波品質閾値２２ｃ以上の場合（ステップ２１ｊの「以上」）、規制内容管理部２１は、ステップ２１ｉで検索したモード２２ｄに「電源切断」が記憶されていれば、移動通信端末装置の電源を切断する。
【００４１】
上記モード２２ｄに「電源切断」以外のモードが記憶されていれば、規制内容管理部２１は、そのモード２２ｄと等しいモード２３ｂを持つデータの組を動作モードデータベース２３ａから検索する。そして、検索されたデータの組の設定２３ｃに「ＯＮ」なるデータを設定して格納し、そのモード２３ｂを設定する（ステップ２１ｋ）。そして、ステップ２１ｇに戻って、動作を繰返す。
【００４２】
ステップ２１ｊの判断は、共通パイロットチャネルで送信される共通パイロット信号を受信すれば可能であり、改めて共通報知チャネルで送信される共通報知信号を受信する必要がない。そこで、移動通信端末装置の消費電力の削減が可能である。
【００４３】
ステップ２１ｇで選んだ共通パイロット信号の電波の品質がステップ２１ｉで検索されたデータの組の電波品質閾値２２ｃより小ならば（ステップ２１ｊの「未満」）、規制内容管理部２１は、ステップ２１ｉで検索したモード２２ｄと等しいモード２３ｂを持つデータの組を動作モードデータベース２３ａから検索する。
【００４４】
そして、検索されたデータの組の設定２３ｃに「ＯＦＦ」なるデータを設定して格納し、そのモード２３ｂを非設定とする（ステップ２１ｍ）。そして、ステップ２１ｇに戻って、動作を繰返す。
【００４５】
ステップ２１ｈで、全ての組の処理が終了した場合（ステップ２１ｈの「ＹＥＳ」）、規制内容管理部２１は、動作を終了する（ステップ２１ｎ）。
【００４６】
なお、上記の説明では、異なる基地局２２ｂから同じモード２２ｄの規制内容を受信している際の処理の説明は、煩雑を避けるために省略した。
【００４７】
その場合、規制内容管理部２１は、いずれかの基地局２２ｂから共通パイロットチャネルで送信される共通パイロット信号の電波の品質がその基地局２２ｂに対応する電波品質閾値２２ｃ以上であれば、そのモード２２ｄと等しいモード２３ｂを持つデータの組を動作モードデータベース２３ａから検索し、検索されたデータの組の設定２３ｃに「ＯＮ」を設定して格納する。
【００４８】
なお、動作モードデータベース２３ａには、規制内容管理部２１が動作する前に利用者によって行われた設定を「ＯＮ」、または「ＯＦＦ」のいずれかとして記憶されるとし、規制内容管理部２１は、ステップ２１ｆ、及び、ステップ２１ｍで設定２３ｃに「ＯＦＦ」を格納することに代えて、設定２３ｃに規制内容管理部２１が動作する前に利用者によって行われた設定を格納しても良い。
【００４９】
更に、動作モードデータベース２３ａには、規制内容管理部２１が動作する前に利用者によって行われた設定を「ＯＮ」、または「ＯＦＦ」のいずれかとして記憶されるとし、入力装置１６の所定のキーが操作されると、移動通信端末装置は、規制内容管理部２１が設定２３ｃに格納した情報によらず、利用者によって行われた設定に従って動作するとしても良い。
【００５０】
また、ステップ２１ｋで、規制内容管理部２１が「電源切断」を実行する前に、規制内容管理部２１は、設定２３ｃに、規制内容管理部２１が動作する前に利用者によって行われた設定を格納しても良い。
【００５１】
更に、規制内容データベース２２ａに、基地局２２ｂが同じである複数のデータの組が記憶されていて、その基地局２２ｂから共通パイロットチャネルで送信される共通パイロット信号の電波の品質（ｕ）が複数の電波品質閾値２２ｃの値（例えば、ｖ及びｗ。ここで、ｖ＜ｗ。）のいずれよりも大きい（ｖ＜ｗ＜ｕ）場合、規制内容管理部２１は、複数の電波品質閾値２２ｃの値ｖ及びｗと組をなす複数のモード２２ｄを設定するとしたが、電波品質閾値２２ｃの値がｗと組をなすモード２２ｄのみを設定するとしても良い。
【００５２】
即ち、規制内容管理部２１は、規制内容データベース２２ａに、基地局２２ｂが同じである複数のデータの組が記憶されている場合、そのデータの組の中から最大で１つのモード２２ｄを設定するとしても良い。本発明は以上の構成に限定されるものではなく、種々の変形が可能である。
【図面の簡単な説明】
【００５３】
【図１】本発明の実施形態に係る移動通信端末装置を示すブロック図。
【図２】本発明の実施形態に係る規制内容データベースの構造図（第１の例）。
【図３】本発明の実施形態に係る規制内容データベースの構造図（第２の例）。
【図４】本発明の実施形態に係る動作モードデータベースの構造図。
【図５】本発明の実施形態に係る規制内容管理部の動作を示すフローチャート（その１、制御部が規制内容信号を受信したことによる起動の場合）。
【図６】本発明の実施形態に係る規制内容管理部の動作を示すフローチャート（その２、制御部が共通パイロット信号を受信したことによる起動の場合）。
【符号の説明】
【００５４】
１１  制御部
１２ａ  アンテナ
１２ｂ  通信部
１３  送受信部
２１  規制内容管理部
２２  規制内容記憶部
２２ａ  規制内容データベース
２２ｂ  基地局
２２ｃ  電波品質閾値
２２ｄ  モード
２３  動作モード記憶部
２３ａ  動作モードデータベース
２３ｂ  モード
２３ｃ  設定
【図１】
2005167368.tif 000003
【図２】
2005167368.tif 000004
【図３】
2005167368.tif 000005
【図４】
2005167368.tif 000006
【図５】
2005167368.tif 000007
【図６】
2005167368.tif 000008